(57)【要約】      （修正有）【課題】ＬＥＤを比較的広い平面部を有する置物の透光性シートのバックライトとして使用しても、光の斑の発生を防止することができる置物を提供する。【解決手段】透光性シート３１は開口２１に配置されている。複数のＬＥＤ３９は透光性シート３１の裏面側に配置されており、これらのＬＥＤ３９は透光性シート３１の対向領域から外れた位置にある。蓋体４１の反射板４５は透光性シート３１に対し、上端部が透光性シート３１に近づく方向に傾いた姿勢で、且つ透光性シート３１に対向して備えられている。ＬＥＤ３９の光は、一部が透光性シート３１に向かって進み、一部が反射板４５に向かって進む。反射板４５に向かって進んだ光は反射板４５によって反射され、透光性シート３１に向かって進む。ＬＥＤ３９の光は透光性シート３１の裏面全体に均一に当たる。透光性シート３１に施された絵柄がきらびやかに映し出される。【選択図】図２
0003153349.tif 000002
【実用新案登録請求の範囲】
【請求項１】
開口を有する本体部と、前記開口に配置され絵柄等の施された透光性シートと、バックライトとして使用されるＬＥＤとを備える置物において、
前記ＬＥＤは前記透光性シートの裏面側に配置されており、且つ前記ＬＥＤの光を前記透光性シートに向かって反射する反射板が備えられていることを特徴とする置物。
【請求項２】
請求項１に記載した置物において、
ＬＥＤは透光性シートの対向領域から外れた位置に備えられていることを特徴とする置物。
【請求項３】
請求項１または２に記載した置物において、
反射板は透光性シートに対し傾いた姿勢で備えられていることを特徴とする置物。
【請求項４】
請求項１から３のいずれかに記載した置物において、
人形用の載置台に設置される屏風様の飾り物であることを特徴とする置物。
【考案の詳細な説明】
【技術分野】
【０００１】
本考案は置物に係り、特に絵柄等の施された透光性シートのバックライトとしてＬＥＤを備えた置物に関するものである。
【背景技術】
【０００２】
ＬＥＤは、発熱量が少なく、消費電力が小さくて、しかも高い耐久性をもつなど、光源として多くの長所を有している。従って、ＬＥＤは光源を必要とする装飾目的の置物に適しており、この置物には例えば特許文献１に記載されたコレクション・ケースがある。このコレクション・ケースは、収容されたフィギュアにＬＥＤの光を当て、フィギュアを美しく見せるものである。
【先行技術文献】
【特許文献】
【０００３】
【特許文献１】実用新案登録第３１１９１２６号公報
【考案の概要】
【考案が解決しようとする課題】
【０００４】
しかしながら、ＬＥＤの光は直進性が高いため、比較的広い平面部に投光すると光の斑ができてしまう不都合がある。従って、例えば屏風様の置物等で、絵柄が施された透光性シートのバックライトとしての使用には不向きであるという問題がある。
本考案は上記従来の問題点に着目して為されたものであり、ＬＥＤを比較的広い平面部を有する置物の透光性シートのバックライトとして使用しても、光の斑の発生を防止することができる置物を提供することを、その目的とする。
【課題を解決するための手段】
【０００５】
本考案は上記課題を解決するためになされたものであり、請求項１の考案は、開口を有する本体部と、前記開口に配置され絵柄等の施された透光性シートと、バックライトとして使用されるＬＥＤとを備える置物において、前記ＬＥＤは前記透光性シートの裏面側に配置されており、且つ前記ＬＥＤの光を前記透光性シートに向かって反射する反射板が備えられていることを特徴とする置物である。
【０００６】
請求項２の考案は、請求項１に記載した置物において、ＬＥＤは透光性シートの対向領域から外れた位置に備えられていることを特徴とする置物である。
【０００７】
請求項３の考案は、請求項１または２に記載した置物において、反射板は透光性シートに対し傾いた姿勢で備えられていることを特徴とする置物である。
【０００８】
請求項４の考案は、請求項１から３のいずれかに記載した置物において、人形用の載置台に設置される屏風様の飾り物であることを特徴とする置物である。
【考案の効果】
【０００９】
本考案の置物によれば、ＬＥＤを比較的広い平面部を有する置物の透光性シートのバックライトとして使用しても、光の斑の発生を防止することができる。従って、発熱量が少なく、消費電力が小さくて、しかも耐久性をもつＬＥＤを利用することが可能となる。
【図面の簡単な説明】
【００１０】
【図１】本考案の実施の形態に係る置物の斜視図である。
【図２】図１の置物のＡ−Ａ断面図である。
【図３】図１の置物の裏側から見た斜視図である。
【考案を実施するための形態】
【００１１】
本考案の実施の形態に係る置物１を図面にしたがって説明する。
置物１は人形用の載置台３上に設置されており、この置物１は屏風様の飾り物である。
符号５は本体部を示し、この本体部５は、略中央部に開口７が形成された枠板９と、開口７に嵌る浅い箱状のケース１１とを有している。ケース１１は後ろ側に開口１２を有しており、ケース１１は前板１３、底板１５、天板１７及び一対の側板１９によって構成されている。底板１５は天板１７よりも幅寸法が大きく形成されており、一対の側板１９の後端縁は下端部へいくに従って幅広となるように傾斜している。底板１５の上面は前側へ下がる方向へ傾斜している。また前板１３には開口２１が形成されている。
【００１２】
符号３１は透光性シートを示し、この透光性シート３１には絵柄Ｅが施されている。透光性シート３１は透明プラスチック板３３に接着されて、装飾板３５が構成されている。装飾板３５は透明プラスチック板３３を前側にして開口２１を塞ぐ状態に配置されている。従って、透光性シート３１が開口に配置され、透光性シート３１の絵柄Ｅは本体部５の前方から視認できるようになっている。
【００１３】
符号３９は上記透光性シート３１のバックライトとして使用される複数のＬＥＤを示し、これらのＬＥＤ３９は底板１５の上面に固定されている。従って、ＬＥＤ３９透光性シート３１の裏面側に配置され、且つ透光性シート３１の対向領域から外れた位置に備えられている。前述したように底板１５の上面は前側へ下がる方向へ傾斜しているため、ＬＥＤ３９は透光性シート３１側へ傾いた姿勢になっている。
複数のＬＥＤ３９は図示しないスイッチを介して電源に接続されている。
【００１４】
符号４１は蓋体を示し、蓋体４１は平板４３と、この平板４３の前面に固定された反射板４５とによって構成されている。蓋体４１は図示しないネジによってケース１１に取り付けられており、ケース１１の開口１２を塞いでいる。従って、反射板４５は透光性シート３１に対し、上端部が透光性シート３１に近づく方向に傾いた姿勢で、且つ透光性シート３１に対向して備えられている。
符号４７は弾性を有する３つの押え部材を示し、３つの押え部材４７は蓋体４１の上端部に互いに間隔をあけて配置されて、支持ピン４９を支点として回動自在にそれぞれ取り付けられている。
【００１５】
符号５１は額縁を示し、この額縁５１は枠板９に形成された開口７よりも大きいサイズに形成されている。額縁５１は装飾板３５の前側に配置されており、額縁５１はケース１１の前板１３に固定されている。
符号６１は一対の開閉部を示し、これらの開閉部６１は図示しない蝶番を介して本体部５の両側端にそれぞれ取り付けられている。
【００１６】
３つの押え部材４７を図３の仮想線で示す状態にして、ケース１１を開口７に嵌めると、額縁５１が枠板９の表面に当接する。そして、３つの押え部材４７を図３の実線で示す状態にすると、３つの押え部材４７が枠板９の裏面を押圧する。これにより額縁５１と３つの押え部材４７とが枠板９を挟み、ケース１１が固定される。
【００１７】
次に置物１の使用方法について説明する。
図示しないスイッチを入れて、ＬＥＤ３９を発光させる。ＬＥＤ３９の光は、一部が透光性シート３１に向かって進み、また一部が反射板４５に向かって進む。反射板４５に向かって進んだ光は反射板４５によって反射され、そして透光性シート３１に向かって進む。このように反射板４５はＬＥＤ３９の光を透光性シート３１に向かって反射するため、ＬＥＤ３９の光は透光性シート３１の裏面全体に均一に当たる。これにより透光性シート３１は均一にライトアップされ、透光性シート３１に施された絵柄Ｅがきらびやかに映し出される。
上記のようにＬＥＤ３９の光が透光性シート３１の裏面全体に均一に当たるため、光の斑の発生を防止することができる。従って、発熱量が少なく、消費電力が小さくて、しかも耐久性をもつＬＥＤをバックライトとして利用することが可能となる。
【００１８】
以上、本考案の実施の形態について詳述してきたが、具体的構成は、この実施の形態に限られるものではなく、本考案の要旨を逸脱しない範囲における設計の変更などがあっても考案に含まれる。
上記実施の形態は、反射板４５を透光性シート３１に対し、上端部が透光性シート３１に近づく方向に傾いた姿勢で備えたが、反射板４５を透光性シート３１に対し、下端部や側端部が透光性シート３１に近づく方向に傾いた姿勢で備えてもよい。また、ＬＥＤ３９を底板１５に固定したが、ＬＥＤ３９を天板１７や側板１９に固定してもよい。このような場合には底板１５、天板１７及び一対の側板１９の形状を適宜変更する。
【００１９】
上記実施の形態は、置物１を屏風様の飾り物としたが、置物１は屏風様の飾り物に限られない。例えば、置物１を人形ケースとしてもよい。この場合には人形ケースの背面板に開口を形成して、この開口に上記ケース１１を嵌めて構成する。
上記実施の形態は、透光性シート３１を透明プラスチック板３３に接着して、装飾板３５を構成したが、透光性シート３１を透明プラスチック板３３で両側から挟み、透明プラスチック板３３どうしを接着して、装飾板３５を構成してもよい。また透明プラスチック板３３を用いない構成にして、透光性シート３１を前板１３に直接固定してもよい。
上記実施の形態は、３つの押え部材４７を取り付けたが、押え部材４７の数を適宜変更してもよい。また押え部材４７を蓋体４１の上端部に配置したが、押え部材４７の取り付け位置を適宜変更してもよい。
また、押え部材４７を設けない構成にして、ケース１１をネジで本体部５に固定する構成にしてもよい。
【産業上の利用可能性】
【００２０】
本考案はＬＥＤを用いる置物の製造業に利用可能である。
【符号の説明】
【００２１】
１…置物      ３…載置台      ５…本体部
７…開口      ９…枠板      １１…ケース
１２…開口      １３…前板      １５…底板
１７…天板      １９…側板      ２１…開口
３１…透光性シート      ３３…透明プラスチック板      ３５…装飾板
３９…ＬＥＤ
４１…蓋体      ４３…平板      ４５…反射板
４７…押え部材      ４９…支持ピン      ５１…額縁
６１…開閉部      Ｅ…絵柄
【図１】
0003153349.tif 000003
【図２】
0003153349.tif 000004
【図３】
0003153349.tif 000005